【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
少なくとも、炭素数９〜２４のアルキル基を有するエチレン性不飽和単量体（ｃ−１）（ただし、下記（ｃ−２）である場合を除く）と、下記一般式（１）で表されるエチレン性不飽和単量体（ｃ−２）と，下記一般式（２）で表されるエチレン性不飽和単量体（ｃ−３）、もしくは下記一般式（３）で表されるエチレン性不飽和単量体（ｃ−４）とを共重合してなる、液体現像剤用の高分子分散剤。
一般式（１）
ＣＨ2＝Ｃ（Ｒ１）ＣＯＯ（ＡＯ）ｎＲ２
（式中、Ｒ１は水素原子又はＣＨ3基を表し、
Ｒ２は水素原子又は炭素数が１〜２２の炭化水素基を表し、
ｎは１〜２００の整数を表し、
Ａは炭素数が２〜４のアルキレン基を表す。）
一般式（２）
ＣＨ（Ｒ３）＝Ｃ（Ｒ４）ＣＯＮＲ５Ｒ６
（式中、Ｒ３は水素原子、又は、アルコキシル基、水酸基、および、カルボキシル基のいずれかを有しても良い炭素数が１〜８の炭化水素基を表し、
Ｒ４は水素原子又はＣＨ3基を表し、
Ｒ５、Ｒ６は水素原子又はアルコキシル基、水酸基、カルボキシル基を有しても良い炭素数が１〜８の炭化水素基を表し、
Ｒ５とＲ６は、環を形成しても良く、
Ｒ３とＲ５が、カルボニル基を含む環を形成しても良い。）
一般式（３）
ＣＨ2＝ＣＨＮ（Ｒ７）（ＣＯ）Ｒ８
（式中、Ｒ７、Ｒ８は水素原子又はアルコキシル基、水酸基、カルボキシル基を有しても良い炭素数が１〜８の炭化水素基を表し、
Ｒ７とＲ８が、カルボニル基を含む環を形成しても良い。）
【請求項２】
重量平均分子量Ｍｗが５００≦Ｍｗ≦４０，０００である請求項１に記載の高分子分散剤。
【請求項３】
少なくとも、結着樹脂（Ａ）、着色剤（Ｂ）、高分子分散剤（Ｃ）、及びキャリア液（Ｄ）を含有する液体現像剤であって、高分子分散剤（Ｃ）が、請求項１又は２に記載の高分子分散剤である液体現像剤。
【請求項４】
結着樹脂（Ａ）が、少なくともポリエステル樹脂を含み、かつ、軟化温度が８０〜１４０℃である請求項３に記載の液体現像剤。
【請求項５】
結着樹脂（Ａ）の重量平均分子量Ｍｗが、２，０００≦Ｍｗ≦１００，０００である請求項３又は４に記載の液体現像剤。
【請求項６】
結着樹脂（Ａ）が、ポリエステル樹脂（ａ−１）と、スチレン樹脂、アクリル樹脂、及びスチレン−アクリル共重合樹脂からなる群から選択される少なくとも１種の樹脂（ａ−２）とを含む請求項３〜５いずれかに記載の液体現像剤。
【請求項７】
ポリエステル樹脂（ａ−１）と、スチレン樹脂、アクリル樹脂、及びスチレン−アクリル共重合樹脂からなる群から選択される少なくとも１種の樹脂（ａ−２）との質量比率［（ａ−２）／（ａ−１）］が、１以下である請求項６に記載の液体現像剤。
【請求項８】
キャリア液（Ｄ）が、脂肪族系炭化水素である請求項３〜７いずれかに記載の液体現像剤。
【請求項９】
請求項３〜８いずれかに記載の液体現像剤を用いて得られる印刷物。
【手続補正２】
【補正対象書類名】明細書
【補正対象項目名】００１０
【補正方法】変更
【補正の内容】
【００１０】
本発明の実施形態は、少なくとも、炭素数９〜２４のアルキル基を有するエチレン性不飽和単量体（ｃ−１）（ただし、下記（ｃ−２）である場合を除く）と、下記一般式（１）で表されるエチレン性不飽和単量体（ｃ−２）と，下記一般式（２）で表されるエチレン性不飽和単量体（ｃ−３）、もしくは下記一般式（３）で表されるエチレン性不飽和単量体（ｃ−４）とを共重合してなる、液体現像剤用の高分子分散剤に関する。
一般式（１）
ＣＨ2＝Ｃ（Ｒ１）ＣＯＯ（ＡＯ）ｎＲ２
（式中、Ｒ１は水素原子又はＣＨ3基を表し、
Ｒ２は水素原子又は炭素数が１〜２２の炭化水素基を表し、
ｎは１〜２００の整数を表し、
Ａは炭素数が２〜４のアルキレン基を表す。）
一般式（２）
ＣＨ（Ｒ３）＝Ｃ（Ｒ４）ＣＯＮＲ５Ｒ６
（式中、Ｒ３は水素原子、又は、アルコキシル基、水酸基、および、カルボキシル基のいずれかを有しても良い炭素数が１〜８の炭化水素基を表し、
Ｒ４は水素原子又はＣＨ3基を表し、
Ｒ５、Ｒ６は水素原子又はアルコキシル基、水酸基、カルボキシル基を有しても良い炭素数が１〜８の炭化水素基を表し、
Ｒ５とＲ６は、環を形成しても良く、
Ｒ３とＲ５が、カルボニル基を含む環を形成しても良い。）
一般式（３）
ＣＨ2＝ＣＨＮ（Ｒ７）（ＣＯ）Ｒ８
（式中、Ｒ７、Ｒ８は水素原子又はアルコキシル基、水酸基、カルボキシル基を有しても良い炭素数が１〜８の炭化水素基を表し、
Ｒ７とＲ８が、カルボニル基を含む環を形成しても良い。）
【手続補正３】
【補正対象書類名】明細書
【補正対象項目名】００６５
【補正方法】変更
【補正の内容】
【００６５】
一般式（１）
ＣＨ2＝Ｃ（Ｒ１）ＣＯＯ（ＡＯ）ｎＲ２
（式中、Ｒ１は水素原子又はＣＨ3基を表し、Ｒ２は水素原子又は炭素数が１〜２２の炭化水素基を表し、ｎは１〜２００の整数を表し、Ａは炭素数が２〜４のアルキレン基を表す。）
【手続補正４】
【補正対象書類名】明細書
【補正対象項目名】００７１
【補正方法】変更
【補正の内容】
【００７１】
一般式（２）において、Ｒ３は水素原子、又は、アルコキシル基、水酸基、および、カルボキシル基のいずれかを有しても良い炭素数が１〜８の炭化水素基を表し、Ｒ４は水素原子又はＣＨ3基を表し、Ｒ５、Ｒ６は水素原子又はアルコキシル基、水酸基、カルボキシル基を有しても良い炭素数が１〜８の炭化水素基を表し、Ｒ５とＲ６は、環を形成しても良く、Ｒ３とＲ５が、カルボニル基を含む環を形成しても良い。
【手続補正５】
【補正対象書類名】明細書
【補正対象項目名】００７２
【補正方法】変更
【補正の内容】
【００７２】
一般式（２）で表されるエチレン性不飽和単量体（ｃ−３）としては、Ｎ−ヒドロキシエチル（メタ）アクリルアミド〔Ｎ−ヒドロキシエチルアクリルアミドとＮ−ヒドロキシエチルメタクリルアミドとを併せて「Ｎ−ヒドロキシエチル（メタ）アクリルアミド」と表記する。以下同様。〕、Ｎ−ヒドロキシプロピル（メタ）アクリルアミド、Ｎ−ヒドロキシブチル（メタ）アクリルアミド、Ｎ−ヒドロキシヘキシル（メタ）アクリルアミド、Ｎ−ヒドロキシオクチル（メタ）アクリルアミド等の水酸基含有の（メタ）アクリルアミド類；Ｎ−（２−オキソブタノイルエチル）（メタ）アクリルアミド、Ｎ−（２−オキソブタノイルプロピル）（メタ）アクリルアミド、Ｎ−（２−オキソブタノイルブチル）（メタ）アクリルアミド、ダイアセトン（メタ）アクリルアミド等のカルボニル基を有する（メタ）アクリルアミド類；
（メタ）アクリルアミド、Ｎ−メチル（メタ）アクリルアミド、Ｎ−エチル（メタ）アクリルアミド、Ｎ−プロピル（メタ）アクリルアミド、Ｎ−イソプロピル（メタ）アクリルアミド、Ｎ−ブチル（メタ）アクリルアミド、Ｎ−プロピル（メタ）アクリルアミド、Ｎ−ｔｅｒｔ−ブチル（メタ）アクリルアミド、Ｎ−ヘキシル（メタ）アクリルアミド、Ｎ−オクチル（メタ）アクリルアミド、Ｎ−（４−カルバモイルフェニル）（メタ）アクリルアミド、β−（２−フリル）（メタ）アクリルアミド、２，３−ビス（２−フリル）アクリルアミド、Ｎ−（９Ｈ−フルオレン−２−イル）（メタ）アクリルアミド、Ｎ−（５，５−ジメチルヘキシル）（メタ）アクリルアミド、Ｎ，Ｎ−ジエチル−（メタ）アクリルアミド、Ｎ−（ジブチルアミノメチル）（メタ）アクリルアミド、Ｎ，Ｎ−ジメチル（メタ）アクリルアミド、Ｎ，Ｎ−ジエチル−（メタ）アクリルアミド、クロトンアミド、マレインアミド、フマルアミド、メサコンアミド、シトラコンアミド、イタコンアミド、３−フェニル−２−プロペンアミドなどの脂肪族系、あるいは芳香族系の（メタ）アクリルアミド類；
Ｎ−メトキシメチル（メタ）アクリルアミド、Ｎ−メトキシエチル（メタ）アクリルアミド、Ｎ−メトキシプロピル（メタ）アクリルアミド、Ｎ−メトキシブチル（メタ）アクリルアミド、Ｎ−メトキシヘキシル（メタ）アクリルアミド、Ｎ−メトキシオクチル（メタ）アクリルアミド、Ｎ−メトキシデシル（メタ）アクリルアミド、Ｎ−メトキシドデシル（メタ）アクリルアミド、Ｎ−メトキシオクタデシル（メタ）アクリルアミド、Ｎ−エトキシメチル（メタ）アクリルアミド、Ｎ−エトキシエチル（メタ）アクリルアミド、Ｎ−エトキシプロピル（メタ）アクリルアミド、Ｎ−エトキシブチル（メタ）アクリルアミド、Ｎ−エトキシヘキシル（メタ）アクリルアミド、Ｎ−エトキシオクチル（メタ）アクリルアミド、Ｎ−イソプロポキシメチル（メタ）アクリルアミド、Ｎ−イソプロポキシエチル（メタ）アクリルアミド、Ｎ−イソプロポキシプロピル（メタ）アクリルアミド、Ｎ−イソプロポキシブチル（メタ）アクリルアミド、Ｎ−イソプロポキシヘキシル（メタ）アクリルアミド、Ｎ−イソプロポキシオクチル（メタ）アクリルアミド、Ｎ−ブトキシメチル（メタ）アクリルアミド、Ｎ−ブトキシエチル（メタ）アクリルアミド、Ｎ−ブトキシプロピル（メタ）アクリルアミド、Ｎ−ブトキシブチル（メタ）アクリルアミド、Ｎ−ブトキシヘキシル（メタ）アクリルアミド、Ｎ−ブトキシオクチル（メタ）アクリルアミド、Ｎ−イソブトキシメチル（メタ）アクリルアミド、Ｎ−イソブトキシエチル（メタ）アクリルアミド、Ｎ−イソブトキシプロピル（メタ）アクリルアミド、Ｎ−イソブトキシブチル（メタ）アクリルアミド、Ｎ−イソブトキシヘキシル（メタ）アクリルアミド、Ｎ−イソブトキシオクチル（メタ）アクリルアミド、Ｎ，Ｎ−ジ（メトキシメチル）メタ）アクリルアミド、Ｎ，Ｎ−ジ（エトキシメチル）（メタ）アクリルアミド、等のＮ−アルコキシ基含有の（メタ）アクリルアミド類；
４−アクリロイルモルホリンなどの複素環アミン基含有（メタ）アクリルアミド類；マレイミド、メチルマレイミド、エチルマレイミド、プロピルマレイミド、ブチルマレイミド、オクチルマレイミド、フェニルマレイミドなどのマレイミド誘導体類などが挙げられる。
また、これらは２種類以上を併用しても良い。
【手続補正６】
【補正対象書類名】明細書
【補正対象項目名】００７３
【補正方法】変更
【補正の内容】
【００７３】
一般式（３）で表されるエチレン性不飽和単量体（ｃ−４）としては、Ｎ−ビニル−２−ピロリドン、Ｎ−ビニル−ε−カプロラクタムなどのビニル環状アミド類；
Ｎ-ビニルコハク酸イミド、Ｎ−ビニルアセトアミドなどが挙げられる。
また、これらは２種類以上を併用しても良い。